(57)【要約】【課題】不要な正反射を取除くことが可能な正反射画像検知装置及びそれを搭載した紙葉類判別装置を提供することを目的とする。【解決手段】紙葉類１０１がガラス面に並行に図示矢印１０２ａの方向に搬送された場合は、光路５０１の光が紙葉類１０１上で正反射し、光電センサ３０５に入射する。また先端上がりで搬送された紙葉類３０７に対しては光路５０２の光が紙葉類３０７上で正反射し、同様に先端下がりで搬送された紙葉類３０８に対しては光路５０３の光が紙葉類３０８上で正反射して光電センサ３０５に入射する。つまり紙葉類１０１が多少傾いて搬送されても、拡散板３０２上のいずれかの仮想光源により正反射画像が得られる。また、拡散板３０２上の特定位置に、光を通さないマスク５０７、５０８を施すことにより、ガラス３０３からの不要な正反射を防止している。このマスクの幅は、光学倍率が１倍の場合、受光センサ３０５の幅以上であればよい。【選択図】図１
2009157504.tif 000002
【特許請求の範囲】
【請求項１】
紙葉類を搬送し、前記紙葉類の物理的特徴を光学的若しくは磁気的、又はその他電気的な検知手段を用いて読み取り、読み取った結果をディジタル信号に変換し順次記憶手段に格納し、この格納された信号情報に基づき前記紙葉類の種類、真偽、汚損度のうち少なくとも１つの判定を行う紙葉類判別装置であって、
前記紙葉類を搬送する搬送手段と、
前記紙葉類の透過画像情報を検知する透過画像検知手段と、
前記紙葉類の反射画像情報を検知する反射画像検知手段と、
前記紙葉類の正反射画像を検知する正反射画像検知手段と、
前記紙葉類の磁気印刷特性を検知する磁気検知手段と、
前記紙葉類からのブリーチ発光特徴量や蛍光発光特徴量を検知する蛍光検知手段と、
前記紙葉類の物理的な厚さを検知する厚さ検知手段と、
前記各検知部からの検知情報を処理する検知情報処理手段と、
を備え、
前記正反射画像検知手段は、
前記紙葉類を照射する光源と、
この光源と前記紙葉類との間に配置した拡散板と、
この拡散板と前記搬送される紙葉類を検知する検知面との間に配置した光学ガラスと、
前記光源が前記拡散板及び前記光学ガラスを通して前記検知面を照射するとき、この検知面から反射される光を結像する光学レンズと、
この光学レンズで結増された光を受光する受光部と、
前記光源と前記検知面を結ぶ照射光路がなす入射角と、当該検知面と前記受光部を結ぶ光路がなす反射角が同じになるように前記受光部を配置し、かつ、前記拡散板に前記光学ガラスによる正反射を防止する非透過性のマスクを設けたことを特徴とする紙葉類判別装置。
【請求項２】
前記受光部は、前記搬送方向と交差する方向に受光素子を配置したラインセンサで構成され、
前記マスクは、前記拡散板の内部に前記ラインセンサと並行である前記搬送方向と交差する方向に２箇所埋設して配置したことを特徴とする請求項１記載の紙葉類判別装置。
【請求項３】
前記正反射画像検知手段を構成する前記光学レンズの倍率が１／ｎで、前記ラインセンサの幅がＷｓのとき、前記マスクの幅Ｗｍは、
Ｗｍ≧Ｗｓ×ｎ
であることを特徴とする請求項１又は請求項２記載の紙葉類判別装置。
【請求項４】
紙葉類を搬送し、前記紙葉類の物理的特徴を光学的若しくは磁気的、又はその他電気的な検知手段を用いて読み取り、読み取った結果をディジタル信号に変換し順次記憶手段に格納し、この格納された信号情報に基づき前記紙葉類の種類、真偽、汚損度のうち少なくとも１つの判定を行う紙葉類判別装置であって、
前記紙葉類を搬送する搬送手段と、
前記紙葉類の透過画像情報を検知する透過画像検知手段と、
前記紙葉類の反射画像情報を検知する反射画像検知手段と、
前記紙葉類の正反射画像を検知する正反射画像検知手段と、
前記紙葉類の磁気印刷特性を検知する磁気検知手段と、
前記紙葉類からのブリーチ発光特徴量や蛍光発光特徴量を検知する蛍光検知手段と、
前記紙葉類の物理的な厚さを検知する厚さ検知手段と、
前記各検知部からの検知情報を処理する検知情報処理手段と、
を備え、
前記正反射画像検知手段は、
前記紙葉類を照射する光源と、
この光源と前記紙葉類との間に配置した拡散板と、
この拡散板と前記搬送される紙葉類を検知する検知面との間に配置した光学ガラスと、
前記光源が前記拡散板及び前記光学ガラスを通して前記検知面を照射するとき、この検知面から反射される光を結像する光学レンズと、
この光学レンズで結増された光を受光する受光部と、
前記光源と前記検知面を結ぶ照射光路がなす入射角と、当該検知面と前記受光部を結ぶ光路がなす反射角が同じになるように前記受光部を配置し、かつ、前記光学ガラスを搬送方向下流に向かって所定の角度傾けて配置したことを特徴とする紙葉類判別装置。
【請求項５】
前記所定の角度は、前記光源が前記検知面になす有効指向角に相当する角度度を超えない範囲であることを特徴とする請求項４記載の紙葉類判別装置。
【発明の詳細な説明】
【技術分野】
【０００１】
本発明は、有価証券などの紙葉類を判別する紙葉類判装置に関し、特に紙葉類のテープやホログラムなどの光沢媒体を検知する正反射光学系を搭載した紙葉類判別装置に関する。
【背景技術】
【０００２】
有価証券などの紙葉類を処理する紙葉類処理装置は、処理単位に応じて一括して投入された紙葉類束（例えば、１０００枚）から取出装置によって紙葉類を１枚ずつ取出して搬送し、搬送状態検知装置及び紙葉類判別装置によって当該紙葉類を判別し、その判別結果に基づいて当該紙葉類を区分処理する装置である。
【０００３】
上記紙葉類判別装置には、紙葉類の種類（券種）、真偽、汚損度合いを検知するため複数の検知手段が具備されている。上記紙葉類の種類、真偽及び汚損度合いの判定は、当該紙葉類の中の最も特徴のある可視画像を検知し、その検知した画像を認識することにより判定している。
【０００４】
紙葉類のデザイン、色、文字及び数字等は、もともと人間が見分けやすいことを前提に描かれているためであり、上記可視画像の検知には、イメージセンサ、色判別センサなどが用いられている。
【０００５】
上記紙葉類の表面には、紙葉類が本物であることを証明するためのアルミ状の光沢物媒体（アルミホイル、ホログラム等の媒体をいう、以下同様）や紙葉類の破損を修復するためのテープが貼付されているケースがある。アルミ状の光沢物は、照明の角度により反射光の波長や強度が異なるため、紙葉類の判定には積極的に寄与させない場合が多い。またテープ等の光沢物の場合、テープの下に描かれた画像や汚れを読み取るためには、光沢物媒体からの正反射成分を抑える必要がある。
【０００６】
上記理由により、上述した従来の紙葉類判別装置の券種検知や汚損度合いの判定においては、光源、光沢物媒体及び受光素子の位置関係を工夫し、光沢物媒体からの正反射の影響を減らし、紙葉類からの拡散反射光のみを観測する工夫が施されている。
【０００７】
一方、紙葉類からの正反射を利用し、テープ等の光沢媒体を積極的に検知する方法も知られている。テープ等の光沢物媒体からの正反射光は、光沢のない拡散反射光に比べ数倍から数十倍の信号強度を持つ。また紙幣にはホログラムやアルミホイル等の光沢のある真偽アイテムが付加されたものも存在する。これらの光沢物媒体を検出する手段として、媒体に対する光源の入射角と、媒体に対する受光素子への射出角を同一にした光学系を構成することで実現することができる。
【０００８】
上記紙葉類判別装置には、当該紙葉類の光沢を検知する正反射画像検知装置がある。この正反射画像検知装置は、紙葉類を照明する照明装置、この照明装置によって照明された紙葉類からの反射光を検知する検知部などから構成されている（例えば、特許文献１参照。）。
【特許文献１】特開２００７−２４０３１５号公報  （第３−４頁、図１）
【発明の開示】
【発明が解決しようとする課題】
【０００９】
しかしながら、特許文献１記載の検知部には、照明装置から放射される光及び紙葉類から反射される光の通路（以下、光路と称する。）上に光学ガラスなどの光沢物が配置されることがあり、光学ガラスの表面からの正反射光を検知してしまうことがある。この対策として、光学ガラスの表面に反射防止膜のコーティングを施すことにより光学ガラスからの不要な正反射を軽減する方法が知られている。しかしながら、この光学ガラスが被検査紙葉類のごく近傍に配置された場合、当該紙葉類が光学ガラスの表面を摩って搬送されるため、紙葉類に接する側の反射防止膜のコーティングが剥がれてしまい効果がなくなるという課題があった。
【００１０】
また、反射防止膜はコストがかかる上、不要な正反射を完全に取除くことができないと言う課題もある。
【００１１】
本発明は、上記課題を解決するためになされたもので、不要な正反射を取除くことが可能な正反射画像検知装置を提供することを目的とする。
【課題を解決するための手段】
【００１２】
上記目的を達成するために、請求項１記載の紙葉類処理装置は、紙葉類を搬送し、前記紙葉類の物理的特徴を光学的若しくは磁気的、又はその他電気的な検知手段を用いて読み取り、読み取った結果をディジタル信号に変換、し順次記憶手段に格納し、この格納された信号情報に基づき前記紙葉類の種類、真偽、汚損度のうち少なくとも１つの判定を行う紙葉類判別装置であって、前記紙葉類を搬送する搬送手段と、前記紙葉類の透過画像情報を検知する透過画像検知手段と、前記紙葉類の反射画像情報を検知する反射画像検知手段と、前記紙葉類の正反射画像を検知する正反射画像検知手段と、前記紙葉類の磁気印刷特性を検知する磁気検知手段と、前記紙葉類からのブリーチ発光特徴量や蛍光発光特徴量を検知する蛍光検知手段と、前記紙葉類の物理的な厚さを検知する厚さ検知手段と、前記各検知部からの検知情報を処理する検知情報処理手段と、を備え、前記正反射画像検知手段は、前記紙葉類を照射する光源と、この光源と前記紙葉類との間に配置した拡散板と、この拡散板と前記搬送される紙葉類を検知する検知面との間に配置した光学ガラスと、前記光源が前記拡散板及び前記光学ガラスを通して前記検知面を照射するとき、この検知面から反射される光を結像する光学レンズと、この光学レンズで結増された光を受光する受光部と、前記光源と前記検知面を結ぶ照射光路がなす入射角と、当該検知面と前記受光部を結ぶ光路がなす反射角が同じになるように前記受光部を配置し、かつ、前記拡散板に前記光学ガラスによる正反射を防止する非透過性のマスクを設けたことを特徴とする。
【発明の効果】
【００１３】
本発明によれば、光路上にある光学ガラスの表面からの不要な正反射を低減することができる。また、その結果、テープやホログラムなどの光沢媒体を低コストでかつ高精度に検知するための正反射光学系を提供することができる。
【発明を実施するための最良の形態】
【００１４】
以下、図面を参照して本発明の実施例を説明する。
【実施例１】
【００１５】
図１は、本発明の実施例１に係る正反射画像検知装置を搭載した紙葉類判別装置１００の概略構成図である。紙葉類判別装置１００において、紙葉類１０１は、図のほぼ中央に位置する搬送路１０２の間隙を搬送ローラ１０３〜１１２により右側（搬送上流）から左側（搬送下流）に向かって図示矢印１０２ａの方向に搬送される。
【００１６】
搬送路上には、図の右側から、紙葉類１０１の透過画像情報を検知する透過画像検知部１１３と、紙葉類１０１の上面の正反射画像情報を検知する上面正反射画像検知部１１４と、紙葉類１０１の下面の正反射画像情報を検知する下面正反射画像検知部１１５と、紙葉類１０１の上面の反射画像情報を検知する上面反射画像検知部１１６と、紙葉類１０１の下面の反射画像情報を検知する下面反射画像検知部１１７と、紙葉類１０１の磁気印刷特性を検知する磁気検知部１１８と、紙葉類１０１からのブリーチ発光特徴や蛍光発光特徴を検知する蛍光発光検知部１１９と、紙葉類１０１の厚さを検知し、テープや複数枚取りを検知する厚さ検知部１２０が設置されている。また紙葉類判別装置１００の上部には、上記各検知部と接続され、上記各検知部からの検知情報を処理する検知情報処理部１２１が配置されている。
【００１７】
図２は、検知情報処理部１２１の機能ブロック図である。透過画像検知部１１３、上面正反射画像検知部１１４、下面正反射画像検知部１１５、上面反射画像検知部１１６、下面反射画像検知部１１７、磁気検知部１１８、蛍光発光検知部１１９、及び厚さ検知部１２０は検知情報処理部１２１と接続され、これら各検知部１１３〜１２０の検知出力は検知情報処理部１２１に出力される。
【００１８】
上記透過画像検知部１１３、上面正反射画像検知部１１４、下面正反射画像検知部１１５、上面反射画像検知部１１６及び下面反射画像検知部１１７は、発光部及び受光部を備えた光学系を構成しており、例えば、発光部としてはＬＥＤアレイが用いられ、受光部としてはフォトダイオードアレイまたはＣＣＤ（Charge-Coupled Device）が用いられ、これらによって１次元画像読み取りセンサが構成される。なお、ＬＥＤには用途により可視光や近赤外光が使用される。
【００１９】
磁気検知部１１８は，例えば磁気ヘッドのようなセンサで構成され、コア材の一次コイル側に直流バイアス電流を印加し、紙葉類１０１が磁気ヘッドを通過したとき、当該紙葉類１０１に含まれる磁性体からのフラックスの変化を当該磁気ヘッドを構成する二次側コイルで検出することにより、当該紙葉類１０１に含まれる磁性体を検知する。
【００２０】
また蛍光発光検知部１１９は、発光部が紫外線発光ランプで構成され、この紫外線発光ランプから発光された紫外線を被検査媒体に照射する。紙葉類１０１に含まれる蛍光体が紫外線によって励起され、当該蛍光体から発せられる励起光をフォトダイオードで受光する。蛍光体が、蛍光印刷等が施されている場合には、当該蛍光印刷部分からの部分発光となり、その場合は、スポット視野で当該媒体に含まれる蛍光体を検出する。また、ブリーチ発光の場合には、紙葉類１０１に事前に設定された検知エリア全体からの発光となるが、上記蛍光体検知と同様に行われる。
【００２１】
厚さ検知部１２０は、媒体を２本のローラで挟み搬送する際、当該２本のローラの中の片側のローラ１１２またはそれを支持するシャフト１０１の変動量を変位センサ等で電気信号に変換することにより紙葉類１０１の厚さを検知する。
【００２２】
上記、それぞれのセンサからの検知データは、演算増幅器等のアナログ処理回路２０１〜２０８で信号成分の増幅／加工が行われアナログマルチプレクサ２０９に出力される。
【００２３】
アナログマルチプレクサ２０９は、入力された８系統のアナログ信号を１系統のアナログ信号に時分割した後、アナログ／ディジタル変換回路２１０に出力する。
【００２４】
アナログ／ディジタル変換回路２１０は、入力されたアナログデータを、例えば８ビットのディジタルデータに変換、前処理回路２２０に出力する。なお本実施例ではアナログ／ディジタル変換回路を１回路とするためにアナログマルチプレクサ２０９でアナログ信号を１系統に時分割したが、システムの組み方やハードウェアの条件により、すべての検知信号をそれぞれ独立してアナログ／ディジタル変換しても、本発明の効果になんら影響を与えるものでは無い。
【００２５】
前処理回路２２０は、アナログ／ディジタル変換回路２１０から入力したディジタルデータを、それぞれの検知内容に従って前処理（例えば空間微分や、平均化等）を行い、データ記憶部２３０に記憶する。
【００２６】
検知ＣＰＵ（Central Processing Unit）２４０は、マイクロコンピュータに代表される処理演算部で、上記データ記憶部２３０から検知データを順次読み出し、紙葉類１０１の種類、方向、真偽、汚損度等の判定を行う。
【００２７】
制御ＣＰＵ２５０は、同様にマイクロコンピュータに代表される処理演算部で、上記検知ＣＰＵ２４０での演算結果を上位の装置、例えば紙葉類判別装置１００の機構制御部２６０等に通知する。
【００２８】
機構制御部２６０は、紙葉類判別装置１００からの種類、方向、真偽、汚損度情報を基に、図示しない搬送路切替部（図示しない）の切り替えを行い、紙葉類１０１が格納されるべき集積庫（図示しない）へ搬送されるよう制御する。
【００２９】
図３は、正反射画像検知部の断面図である。これは図１の上面正反射画像検知部１１４、または下面正反射画像検知部１１５のいずれか、又は両方を示す断面図である。
【００３０】
ＬＥＤ等の光源３０１から放たれた光は、拡散板３０２、光学ガラス３０３を透過して検知面３０９を照射する。この検知面３０９を紙葉類１０１が図示矢印１０２ａの方向に搬送される際、当該紙葉類１０１の表面が照射される。その正反射光は、再び光学ガラス３０３を介して光学レンズ３０４に至る。
【００３１】
光学レンズ３０４は、例えば像を１対１の倍率で結像するロッドレンズアレイ、又は像を縮小して結像する球面レンズ等で構成される。
【００３２】
光学レンズ３０４を通った反射光は、光電センサ３０５で受光され、センサ内で光信号が電気信号に変換された後、センサ信号処理基板３０６で増幅及びＡ／Ｄ変換等が施される。
【００３３】
光電センサ３０５がＣＣＤやフォトダイオードの1次元センサの場合、紙葉類１０１の画像データは1ラインごとに収集・蓄積され、紙葉類１０１が搬送されることにより次の1ラインデータが同様に収集・蓄積され、結果的に２次元の画像が形成される。
【００３４】
図４は、本発明の実施例１に係る上側反射画像検知部１１４の詳細断面図である。光源発光から正反射画像の受光までは図３と同様である。正反射用光源３０１の光源が拡散板３０２に入射されると、拡散板３０２の反対面にあたかも複数の光源が並んだような効果（仮想光源）が得られる。この効果を利用することにより、紙葉類１０１が不安定に搬送されても、表面の正反射光が光電センサ３０５で受光できるようにしている。詳細を図５で説明する。
【００３５】
図５は、図４に示す拡散板３０２及び光学ガラス３０３近辺の拡大図である。紙葉類１０１が光学ガラス３０３に並行に図示矢印１０２ａの方向に搬送された場合は、光路（１）５０１の光が紙葉類１０１上で正反射し、光電センサ３０５に入射する。また先端上がりで搬送された紙葉類３０７に対しては、光路（２）５０２の光が紙葉類３０７上で正反射し、光電センサ３０５に入射し、同様に先端下がりで搬送された紙葉類３０８に対しては、光路（３）５０３の光が紙葉類３０８上で正反射し、光電センサ３０５に入射する。つまり紙葉類１０１が多少傾いて搬送されても、拡散板３０２上のいずれかの仮想光源により正反射画像が得られる。
【００３６】
ところで、媒体から発生する紙粉や汚れを光学系内部に侵入させないため、光学系は防塵の施されたユニットで構成されている。そのため、媒体を検知する面には通常光学ガラス３０３が設置されており、防塵したまま媒体の光学情報を得ることができる構造となっている。
【００３７】
ところが、光学ガラス３０３には表面に光沢があり、受光センサ３０５は光学ガラス３０３のガラス面からの正反射を受光してしまうことになる。この光学ガラス３０３のガラス面からの正反射は、光沢媒体からの正反射を検出する上で不要な画像情報となる。この光学ガラス３０３からの正反射を防止するため、本実施例１ではガラス面（上下２面）からの正反射を起こさせる拡散板３０２上の特定位置に、光を通さないマスクを施すことにより、光学ガラス３０３からの不要な正反射を防止している。
【００３８】
図中、光路（４）５０４は光学ガラス３０３の上面で正反射すると、光路（６）５０６上を進み、光電センサ３０５に入射する。また光路（５）５０５は光学ガラス３０３の下面で正反射すると、同様に光路（６）５０６上を進み、光電センサ３０５に入射する。この２箇所からの光を例えば黒インクの印刷によりマスクすることで、不要な正反射をすべて除去することができる。このマスクの幅は、光学倍率が１倍の場合、原理的には受光センサ３０５の幅以上であればよい。また光学倍率が１／ｎ倍の場合、マスクは受光センサ３０５の幅×ｎ以上であればよい（下式（１）参照）。  
マスクの幅（Ｗｍ）≧受光センサの幅（Ｗｓ）×光学倍率（ｎ）・・・（１）
【００３９】
図６は、図５に示す拡散板３０２のイメージ図である。本実施例では受光センサ３０５をラインセンサとしているため、長手方向に２本のマスク直線が引かれたものとなる。また搬送面ではない面、具体的には光学ガラス３０３の上面側は媒体による磨耗、劣化がないため反射防止膜のコーティングを施すことも可能である。この場合、マスク１（５０７）は不要となる。
【００４０】
なお本実施例は上側正反射画像検知部１１４を用いて説明したが、図１に示した下側正反射画像検知部１１５においても同様の構成により同様の効果を得ることができる。
【００４１】
また図３において、媒体の突入方向に近い側に受光系、排出方法に照明系を配置したが、受光系と照明系の位置関係はこれに限定されたものではなく、媒体の突入方向に近い側に照明系、排出方法に受光系を配置しても本発明の効果はなんら変わらない。
【実施例２】
【００４２】
図７は、本発明の実施例２に係る上側反射画像検知部の詳細断面図である。光源３０１、拡散板３０２、光学ガラス３０３が配置されている構成は実施例１と同様であるが、検知対象である紙葉類１０１に対する光源３０１と受光素子３０５の角度を広げている。
【００４３】
また光学ガラス３０３は紙葉類１０１の搬送路に対して角度θを持って配置されている。この光学配置において、紙葉類１０１が搬送路１０２に並行に搬送された場合、光路１（７０１）の光が紙葉類１０１上で正反射し、光電センサ３０５に入射する。また先端上がりで搬送された紙葉類３０７に対しては、光路２（７０２）の光が紙葉類１０１上で正反射し、光電センサ３０５に入射し、同様に先端下がりで搬送された紙葉類３０８に対しては、光路３（７０３）の光が紙葉類１０１上で正反射し、光電センサ３０５に入射する。つまり紙葉類１０１が多少傾いて搬送されても、拡散板３０２上のいずれかの仮想光源により正反射画像が得られる。
【００４４】
本実施例の特徴は、搬送路１０２に対してある所定の角度θで傾きを持った光学ガラス３０３にある。図７の場合、光学ガラス３０３は紙葉類１０１が侵入してくる方向が下がっている。この角度を設けたことにより、光電センサ３０５に入射する、光学ガラス３０３上面での正反射光の光源は、光（４）７０４の延長上に存在することになる。しかしながらこの方向に光源はないため、結果的に光学ガラス３０３上面からの正反射は存在しないことになる。同様のことが、光学ガラス３０３の下面についても適用される。すなわち光電センサ３０５に入射する、光学ガラス３０３下面での正反射光の光源は、光路（５）７０５の延長上に存在することになるが、この方向に光源は存在しないため、結果的に光学ガラス３０３下面からの正反射は存在しない。
【００４５】
なお、上記所定の角度θは、光源３０１が検知面３０９になす有効志向角度αに相当する角度超えない範囲に設定される。すなわち、用いられる光源３０１の指向性及び拡散板３０２の拡散性能によって設定される。
【００４６】
本実施例は上側正反射画像検知部１１４を用いて説明したが、図１に示した下側正反射画像検知部１１５においても同様の構成により同様の効果を得ることができる。
【００４７】
また図７において、媒体の突入方向に近い側に受光系、排出方法に照明系を配置したが、受光系と照明系の位置関係はこれに限定されたものではなく、媒体の突入方向に近い側に照明系、排出方法に受光系を配置しても本発明の効果はなんら変わらない。
【００４８】
なお図１において、上側正反射画像検知部１１４と下側正反射画像検知部１１５は対向する形で配置したが、上面反射画像検知部１１６および下面反射画像検知部１１７と同様、それぞれ独立して配置しても本発明の効果になんら影響を与えない。
【００４９】
以上説明したように本発明の実施例１によれば、紙葉類判別装置にける正反射画像検知部において、紙葉類の正反射画像を用いて媒体に貼付されたテープやフログラム等の光沢物媒体を検出する際、光学ガラス等からの不要な正反射光を完全に排除することができるので、高精度の汚損判定を実現する紙葉類判別装置を提供することができる。
【図面の簡単な説明】
【００５０】
【図１】本発明の実施例１係る正反射画像検知装置を搭載した紙葉類判別装置の概略構成図。
【図２】紙葉類判別装置及び主制御部の構成を示すブロック図。
【図３】正反射画像検知部の断面図。
【図４】本発明の実施例１に係る上側反射画像検知部の詳細断面図。
【図５】図４に示す拡散板及び光学ガラス付近での正反射を説明する拡大図。
【図６】図５に示す拡散板のイメージ図。
【図７】本発明の実施例２に係る上側反射画像検知部の詳細断面図。
【符号の説明】
【００５１】
１００  紙葉類判別装置
１０１  紙葉類
１０２  搬送路
１０３〜１１２  搬送ローラ
１１３  透過画像検知部
１１４  上面正反射画像検知部
１１５  下面正反射画像検知部
１１６  上面反射画像検知部
１１７  下面反射画像検知部
１１８  磁気検知部
１１９  蛍光検知部
１２０  厚さ検知部
１２１  検知情報処理部
３０１  光源
３０２  拡散板
３０３  光学ガラス
３０４  光学レンズ
３０５  光電センサ
３０６  センサ信号処理基板
３０７  先端上がりで搬送された紙葉類
３０８  先端下がりで搬送された紙葉類
５０７  マスク（１）
５０８  マスク（２）
７０１  光路（１）
７０２  光路（２）
７０３  光路（３）
７０４  光路（４）
７０５  光路（５）
【図１】
2009157504.tif 000003
【図２】
2009157504.tif 000004
【図３】
2009157504.tif 000005
【図４】
2009157504.tif 000006
【図５】
2009157504.tif 000007
【図６】
2009157504.tif 000008
【図７】
2009157504.tif 000009